(57)【要約】      （修正有）【課題】ヒューズ交換が可能なランプを提供する。【解決手段】ヒューズ交換が可能なランプは、光源２を備えるランプ台１、ランプ台１上に組み合わせ光源２外を覆う集光カバー３、ランプ台１下方に組み合わせるランプヘッド５を備え、装置全体と電灯設置部の電気的連接インターフェースとし、ランプヘッド５とランプ台１との間には回路ユニットを設置し、回路ユニットはヒューズ６を備え、ヒューズ６はヒューズマウント６１内に設置し、ヒューズマウント６１の一端はランプヘッド５の外表面に露出し、ヒューズ６を交換する時には、外部から新しいヒューズ６を設置可能である。【選択図】図６
0003158970.tif 000002
【実用新案登録請求の範囲】
【請求項１】
光源を備えるランプ台、前記ランプ台上に組み合わせ前記光源外を覆う集光カバー、前記ランプ台下方に組み合わせるランプヘッドを備え、
前記ランプヘッドと前記ランプ台との間には、回路ユニットを設置し、
前記回路ユニットは、ヒューズを備え、
前記ヒューズは、ヒューズマウント内に設置し、前記ヒューズマウントの一端は、前記ランプヘッドの外表面に露出し、
前記ヒューズを交換する時には、外部から新しいヒューズを設置可能であることを特徴とするヒューズ交換が可能なランプ。
【請求項２】
前記ランプ台外表面に露出するヒューズマウントには、さらに蓋体を組み合わせ、これにより、前記ヒューズは、完全にその中に封入され、
前記蓋体は、工具或いは素手で開けられることを特徴とする請求項１に記載のヒューズ交換が可能なランプ。
【請求項３】
前記集光カバーの頂点部は、半円球面に成型し、しかも前記頂点部の外表面には、プリズム面を形成することを特徴とする請求項１に記載のヒューズ交換が可能なランプ。
【請求項４】
前記ランプヘッドは、螺旋口金を備えたランプヘッドであることを特徴とする請求項１に記載のヒューズ交換が可能なランプ。
【考案の詳細な説明】
【技術分野】
【０００１】
本考案はランプに関し、特に螺旋口金を備えるランプで、ハウジングにはヒューズマウントを設置し、使用者は、ランプ故障時に外部から直接ヒューズを抜き取り交換することができるヒューズ交換が可能なランプに関する。
【背景技術】
【０００２】
螺旋口金を備える白熱電球は、非常に幅広く運用されている製品である。
かつての電球といえば、光源の違いによるタングステンランプ、省エネランプであったが、今ではテクノロジーの進歩に従い、発光ダイオード、冷陰極蛍光灯が開発されている。
この種のランプの多くは、標準規格のソケットに対応するが、特殊規格の製品以外は、ソケット内部に通常は安全回路がない。
そのため、ランプの使用寿命と安全性は、それ自身が採用する光源の種類によるほか、内部回路の安全設計が主要な素因としてかかわって来る。
【０００３】
しかし、交換の便が悪いため、ランプの作動に不利な何らかの素因が発生した際には、ランプ全体が直ちに故障となり、使用者は新しいランプを買う他に選択肢はない。
このため、資源の浪費となっている可能性がある。
発光ダイオード或いは冷陰極蛍光灯の商品化により、このタイプの光源の使用寿命は延長された。
しかし、ランプの使用時には、瞬間的に電圧が過度に高くなり、或いは電圧が不安定になり、或いは他の電流の問題が起きることで、安全設計による内部回路のショートが起こり得る。
この時、故障したランプを廃棄してしまえば、このタイプのランプの当初設計目的が意味を失ってしまう。
本考案は、正常な使用状況で、上記したタイプのランプの寿命を延長するためになされたものである。
【考案の概要】
【考案が解決しようとする課題】
【０００４】
本考案が解決しようとする課題は、製品の使用寿命を効果的に延長可能で、螺旋口金の設計を採用し、ヒューズを交換可能なヒューズマウントを備えることで、内部の電圧、或いは電流の問題でヒューズが焼き切れても、ヒューズを単独で交換し、ランプの使用を続けることができ、ランプが採用するLED或いは冷陰極蛍光灯などの光源に最良の使用寿命を発揮させ、ランプ全体を交換して環境に負荷を与えることのないヒューズ交換が可能なランプを提供することである。
【課題を解決するための手段】
【０００５】
上記課題を解決するため、本考案は下記のヒューズ交換が可能なランプを提供する。
ヒューズ交換が可能なランプは、ランプのハウジング上に貫通孔を開設し、ヒューズマウントの一端は外部に露出され、ヒューズ交換時には、新しいヒューズを直接設置することができ、
ヒューズ交換が可能なランプは、光源を備えるランプ台、該ランプ台上に組み合わせ該光源外を覆う集光カバー、該ランプ台下方に組み合わせるランプヘッドを備え、装置全体と電灯設置部の電気的連接インターフェースとし、
該ランプヘッドと該ランプ台との間には回路ユニットを設置し、
該回路ユニットは、保護回路、ブリッジ式整流回路、電力変換回路、負荷回路を備え、
該保護回路は、ヒューズと電気的に連接し、ランプ装置全体に過電流保護とショート保護を提供し、
該ヒューズはヒューズマウント内に設置し、該ヒューズマウントは、該ランプヘッド内部に設置し、該ランプヘッド表面には貫通孔を開設し、該ヒューズマウント一端を該貫通孔に固定し、こうして該ランプヘッド外表面に露出させ、
該ヒューズを交換する時には、該ランプヘッドと該ランプ台を分離してから交換する必要はなく、該ヒューズマウントの蓋体を開けて、焼き切れたヒューズを抜き取り、外部から新しいヒューズを直接設置することができる。
【考案の効果】
【０００６】
本考案ヒューズ交換が可能なランプは、ランプのハウジング上に貫通孔を開設することで、ヒューズマウントの一端は外部に露出され、ヒューズ交換時には、新しいヒューズを直接設置することができる。
【図面の簡単な説明】
【０００７】
【図１】本考案ヒューズ交換が可能なランプの第一実施例の組み合わせ図である。
【図２】本考案ヒューズ交換が可能なランプの第一実施例の立体分解図である。
【図３】本考案ヒューズ交換が可能なランプの第二実施例の組み合わせ図である。
【図４】本考案ヒューズ交換が可能なランプの回路図である。
【図５】本考案ヒューズ交換が可能なランプの第一実施例の平面透視図である。
【図６】ヒューズ交換の表示図である。
【考案を実施するための形態】
【０００８】
以下に図面を参照しながら本考案を実施するための最良の形態について詳細に説明する。
【０００９】
本考案ヒューズ交換が可能なランプの第一実施例の組み合わせ図、及び立体分解図である図１、２に示すように、本考案ヒューズ交換が可能なランプの第一実施例は、ランプ台１、光源２、集光カバー３、回路ユニット４、ランプヘッド５を備える。
回路ユニット４は、ヒューズ６を備える。
本考案は、ランプ台１、光源２、集光カバー３、ランプヘッド５の形状を限定するものではないが、各構成部材は、相互に対応可能な構造でなければならない。
【００１０】
ランプ台１は、本第一実施例では、ドーム型に設計する。
ランプ台１上には、光源２を固定する。
本考案は、光源の種類を限定するものではないが、本実施例が示すように、冷陰極管、或いは現在最も幅広く使用されているLEDモジュール(図３参照)などである。
【００１１】
集光カバー３は、光透過性が高い材質により製造し、しかも好ましくは無色透明な集光カバーである。
本考案の集光カバー３は、ランプ台１の形状に対応して中空円筒状に設計する。
集光カバー３頂点部は、半円球面に成型し、頂点部の外表面には、規則的なプリズム面３１を形成し、これにより灯光が均一に四方八方へと放射するよう補助する。
集光カバー３は、光源２外側を覆って設置し、集光カバー３の開口端とランプ台１との間には、相互に対応する構造を設計する必要がある。
これにより、集光カバー３は、ランプ台１上に固定され、光源２を覆うことができる。
本実施例中において、上記した相互に対応する構造は、ランプ台１上に設計する環状槽道１１で、集光カバー３の開口端はこれに嵌入し、緊密に対応する。
【００１２】
ランプヘッド５は、ランプ全体と電灯設置部(本考案では未掲示)との電気的連接のインターフェースとすることができる。
本考案ランプヘッド５の種類は、E２７ランプヘッド、或いは他の規格の螺旋口金を備えるランプヘッドである。
光源２の導電線は、ランプ台１を貫通し、ランプ台１とランプヘッド５との間に挟まれる回路ユニット４と電気的に連接する。
【００１３】
本考案ヒューズ交換が可能なランプの回路図である図４に示すように、本考案ヒューズ交換が可能なランプの回路は、保護回路４１、ブリッジ式整流回路４２、電力変換回路４３、負荷回路４４を備える。
保護回路４１は、ヒューズ６を備え、ランプ装置全体に過電流保護とショート保護を提供する。
【００１４】
本考案ヒューズ交換が可能なランプの第一実施例の平面透視図である図５に示すように、ヒューズ６は、ヒューズマウント６１内に設置する。
本考案が提供するヒューズマウント６１は、固定方式である。
ランプヘッド５の表面に斜めに貫通孔５２を開設し、ランプヘッド５内部から、ヒューズマウント６１の一端に貫通孔５２を通過させ、ランプヘッド５外において露出させる。
ヒューズマウント６１の他端は、あらゆる固定方式で、ランプヘッド５内部に固定する。
具体的には、ヒューズマウント６１には、孔或いは欠口を開設し、ヒューズ６と回路ユニット４との間に電線を導通させる。
【００１５】
この他に、ヒューズマウント６１からのヒューズ６の落下を防止するため、さらに蓋体６２を設置し、ヒューズマウント６１の端口を封鎖する。
本考案は、蓋体６２とヒューズマウント６１の端口との組み合わせ方式を限定せず、蓋体６２が取り外し可能であればそれで良い。
方式としては、単純な緊密対応の他に、本実施例で示すように、ネジヤマを形成することもできる。
また、蓋体６２の取り外しの便を図るため、蓋体６２端面に、溝を刻み、或いは棒状突起を形成するなど、あらゆる構造を設計することができる。
これにより、蓋体６２を既に開けることができ、また工具を用いて開けることができる。
【００１６】
ヒューズ交換の表示図である図６に示すように、本考案のヒューズマウント６１の設計により、ヒューズ６を交換する時には、ヒューズマウント６１の蓋体６２を開けて、焼き切れたヒューズ６を抜き取り、外部から新しいヒューズ６を入れることができる。
こうして、ヒューズ回路が焼き切れれば、ランプ全体を廃棄せざるを得ず、環境への負荷と経済的な負担を生み出していた従来のランプの欠点を改善することができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案の要件である新規性を備え、従来の同類製品に比べ十分な進歩を有し、実用性が高く、社会のニーズに合致しており、産業上の利用価値は非常に大きい。
【符号の説明】
【００１９】
１  ランプ台
１１  槽道
２  光源
３  集光カバー
３１  プリズム面
４  回路ユニット
４１  保護回路
４２  ブリッジ式整流回路
４３  電力変換回路
４４  負荷回路
５  ランプヘッド
５２  貫通孔
６  ヒューズ
６１  ヒューズマウント
６２  蓋体
【図１】
0003158970.tif 000003
【図２】
0003158970.tif 000004
【図３】
0003158970.tif 000005
【図４】
0003158970.tif 000006
【図５】
0003158970.tif 000007
【図６】
0003158970.tif 000008